(57)【要約】      （修正有）【課題】一つの集団の情報を容易に共有することが出来る情報端末を提供する。【解決手段】情報端末１は、通信装置１３を介して外部機器と通信することにより、少なくとも一部のメンバにより内容変更可能な第１情報及び前記集団に所属する個々のメンバにより各々の情報端末１を介して発信され、発信したメンバ以外による内容変更が不可能な第２情報を認識し、第１情報を含む第１情報画像及び第２情報を含む第２情報画像のうち一方の画像が画像表示装置１２（出力装置）に表示されている状態で、入力装置１１により所定の入力態様が検知されたことを要件として、第１情報画像及び第２情報画像のうち他方の画像を画像表示装置１２に表示させるように構成されている制御装置１５とを備える。【選択図】図１
2016163138.tif 000002
【特許請求の範囲】
【請求項１】
ユーザの入力態様を検知する入力装置と、
画像を表示する画像表示装置を含む出力装置と、
通信を行う通信装置と、
前記通信装置を介して外部機器と通信することにより、前記ユーザを含む複数のメンバにより形成される集団の少なくとも一部のメンバにより内容変更可能な第１情報及び前記集団に所属する個々のメンバにより各々の情報端末を介して発信され、当該発信したメンバ以外による内容変更が不可能な第２情報を認識し、
前記第１情報を含む第１情報画像及び前記第２情報を含む第２情報画像のうち一方の画像が前記画像表示装置に表示されている状態で、前記入力装置により所定の入力態様が検知されたことを要件として、前記第１情報画像及び前記第２情報画像のうち他方の画像を前記画像表示装置に表示させるように構成されている制御装置とを備えることを特徴とする情報端末。
【請求項２】
請求項１記載の情報端末において、
前記制御装置は、第１モード及び前記第１モードと異なる第２モードを含む複数の制御モードのうちいずれか１つの制御モードにしたがって、処理を実行するように構成されるように構成されていることを特徴とする情報端末。
【請求項３】
請求項２記載の情報端末において、
前記制御装置は、前記制御モードが前記第１モードであり、かつ、ナビゲーション画像を前記画像表示装置に表示させている状態で、前記第２情報を認識した場合、当該第２情報を含む前記第２情報画像を前記ナビゲーション画像とともに前記画像表示装置に表示させるように構成されていることを特徴とする情報端末。
【請求項４】
請求項２又は３記載の情報端末において、
前記制御装置は、前記制御モードが前記第１モードであり、かつ、ナビゲーション画像を前記画像表示装置に表示させている状態で、前記第１情報が変更されたことを認識した場合、当該第１情報の変更を知らせる第１情報変更通知画像を前記ナビゲーション画像とともに前記画像表示装置に表示するように制御するように構成されていることを特徴とする情報端末。
【請求項５】
請求項２〜４のうちいずれか１項記載の情報端末において、
前記制御装置は、前記制御モードが第１モードである状態で、前記第２情報画像を表示させるためのリンクを備えるトップ画像を前記画像表示装置に表示させるように構成されていることを特徴とする情報端末。
【請求項６】
請求項１〜５のうちいずれか１項記載の情報端末と通信を行う前記外部機器としてのサーバであって、
前記情報端末と通信を行うサーバ通信装置と、
前記情報端末から前記第１情報又は前記第２情報のうちの一方の情報の送信要求を受信した場合に、前記情報端末に対し、前記一方の情報と、前記第１情報又は前記第２情報のうちの他方の情報へ遷移するための情報とを含んだ画像を前記画像表示装置に表示させる指令を送信するように構成されているサポート演算処理要素とを備える情報共有サーバ。
【請求項７】
請求項１〜５のうちいずれか１項記載の情報端末と、
前記情報端末と通信を行う前記外部機器としてのサーバ通信装置及び前記情報端末から前記第１情報又は前記第２情報のうちの一方の情報の送信要求を受信した場合に、前記情報端末に対し、前記一方の情報を送信するように構成されているサーバサポート演算処理要素を備える情報共有サーバと、
を備える情報共有システム。
【請求項８】
コンピュータを請求項１〜５のうちいずれか１項記載の情報端末として機能させるための情報共有プログラム。
【発明の詳細な説明】
【技術分野】
【０００１】
本発明は、情報端末、情報共有システム及び情報共有プログラムに関する。
【背景技術】
【０００２】
従来、一つのグループが同一の目的地点に向かって走行する場合に、当該グループに属する各メンバの状況を把握するための情報共有システムが提案されている。
【０００３】
たとえば、特許文献１には、グループの共有情報を送受信する情報共有サーバと、当該情報共有サーバから当該携帯情報端末の所有者が所属するグループの共有情報を受信する第１の受信部と、当該共有情報に含まれる位置情報と携帯情報端末の識別情報とを、車両の進行方向の撮像された画像とともに表示部に表示させる制御部とを備える携帯端末とを備える情報共有システムが提案されている。
【０００４】
当該情報共有システムによれば、自車の走行方向を撮像した画像上にその方向に存在する同じグループに所属する他の車両に関する情報がその車両の位置に応じて表示される。これにより、実像上で自車に対してどのような位置に同じグループの所属する他の車両が存在するかを簡単かつ直感的に把握することが出来る。
【先行技術文献】
【特許文献】
【０００５】
【特許文献１】特開２０１３−２１０９７９号公報
【発明の概要】
【発明が解決しようとする課題】
【０００６】
しかしながら、特許文献１記載の技術は、同じグループに所属する他の車両の情報のうち、自車の走行方向の撮像可能範囲に存在する他の車両に関する局所的な情報を自車の搭乗者に得させることを主眼とする技術である。このため、特許文献１記載の技術には、当該他の車両以外の車両の情報又はグループ全体の情報を適切に共有する観点から改善の余地がある。
【０００７】
そこで、本発明は、一つの集団の情報を容易に共有することが出来る情報端末、情報共有サーバ、情報共有システム及び情報共有プログラムを提供することを目的とする。
【課題を解決するための手段】
【０００８】
本発明の情報端末は、
ユーザの入力態様を検知する入力装置と、
画像を表示する画像表示装置を含む出力装置と、
通信を行う通信装置と、
前記通信装置を介して外部機器と通信することにより、前記ユーザを含む複数のメンバにより形成される集団の少なくとも一部のメンバにより内容変更可能な第１情報及び前記集団に所属する個々のメンバにより各々の情報端末を介して発信され、当該発信したメンバ以外による内容変更が不可能な第２情報を認識し、
前記第１情報を含む第１情報画像及び前記第２情報を含む第２情報画像のうち一方の画像が前記画像表示装置に表示されている状態で、前記入力装置により所定の入力態様が検知されたことを要件として、前記第１情報画像及び前記第２情報画像のうち他方の画像を前記画像表示装置に表示させるように構成されている制御装置とを備える。
【０００９】
本発明の情報端末によれば、グループの第１情報を含む第１情報画像と第２情報を含む第２情報画像とのうち表示されていない画像が、所定の入力態様の検知を要件として表示される。このため、ユーザは、状況に応じて適切な入力を行うことにより、集団の少なくとも一部のメンバにより内容変更可能な個人帰属性の低い第１情報及び集団に所属するメンバから発信され、当該メンバ以外には内容が変更不可能な個人帰属性の高い第２情報を適切に認識することができる。この結果、同一の集団に所属するメンバの間において当該集団の情報が容易に共有される。
【００１０】
なお、本願発明の構成要素が情報を「認識する」とは、外部情報源から情報を受信すること、データベースから情報を検索すること、記憶装置またはメモリから情報を読み出すこと、受信または検索等した基礎信号を演算処理することにより情報を測定、算定、推定、判定、設定、決定等すること、算定等された情報を記憶装置またはメモリに保存すること等、当該情報を必要とする演算処理のために当該情報を準備するためのあらゆる演算処理の実行を意味する。
【００１１】
本発明の情報端末において、前記制御装置は、第１モード及び前記第１モードと異なる第２モードを含む複数の制御モードのうちいずれか１つの制御モードにしたがって、処理を実行するように構成されることが好ましい。
【００１２】
当該構成の情報端末によれば、制御モードに応じて適切に処理を実行することが出来る。
【００１３】
当該構成の情報端末において、
前記制御装置は、
前記制御モードが前記第１モードであり、かつ、ナビゲーション画像を前記画像表示装置に表示させている状態で、前記第２情報を認識した場合、当該第２情報を含む前記第２情報画像を前記ナビゲーション画像とともに前記画像表示装置に表示させることが好ましい。
【００１４】
当該構成の情報端末によれば、第１モードである状態で、ナビゲーション中でも第２情報が画像表示装置に表示されるので、ユーザに適時に集団のメンバ由来の情報を認識させることが出来る。この結果、同一の集団に所属するメンバの間において集団の情報がより容易に共有される。
【００１５】
本発明の情報端末において、
前記制御装置は、
前記制御モードが前記第１モードであり、かつ、ナビゲーション画像を前記画像表示装置に表示させている状態で、前記第１情報が変更されたことを認識した場合、当該第１情報の変更を知らせる第１情報変更通知画像を前記ナビゲーション画像とともに前記画像表示装置に表示するように制御することが好ましい。
【００１６】
当該構成の情報端末によれば、第１モードである状態で、ナビゲーション中でも第１情報変更通知が画像表示装置に表示されるので、ユーザに適時に第１情報の変更を認識させることが出来る。この結果、同一の集団に所属するメンバの間において集団の情報がより適切に共有される。
【００１７】
本発明の情報端末において、
前記制御装置は、
前記制御モードが第１モードである状態で、前記第２情報画像を表示させるためのリンクを備えるトップ画像を前記画像表示装置に表示させることが好ましい。
【００１８】
当該構成の情報端末によれば、制御モードが第１モードである状態で、ユーザが関心を向ける蓋然性が高い第２情報画像を表示させるためのリンクがトップ画像に表示される。この結果、ユーザの利便性が向上する。
【００１９】
本発明の情報端末と通信を行うサーバであって、
前記情報端末と通信を行うサーバ通信装置と、
前記情報端末から前記第１情報又は前記第２情報のうちの一方の情報の送信要求を受信した場合に、前記情報端末に対し、前記一方の情報と、前記第１情報又は前記第２情報のうちの他方の情報へ遷移するための情報とを含んだ画像を前記画像表示装置に表示させる指令を送信するように構成されているサポート演算要素とを備える情報共有サーバ。
【００２０】
当該構成の情報共有サーバによれば、前記情報端末に対し、前記一方の情報と、前記第１情報又は前記第２情報のうちの他方の情報へ遷移するための情報とを含んだ画像を前記画像表示装置に表示させる指令が送信される。このため、ユーザは、状況に応じて適切な入力を行うことにより、集団の少なくとも一部のメンバにより内容変更可能な個人帰属性の低い第１情報及び集団に所属するメンバから発信され、当該メンバ以外には内容が変更不可能な個人帰属性の高い第２情報を適切に認識することができる。この結果、同一の集団に所属するメンバの間において当該集団の情報が容易に共有される。
【００２１】
本発明の情報端末と、
前記情報端末と通信を行うサーバ通信装置及び前記情報端末から前記第１情報又は前記第２情報のうちの一方の情報の送信要求を受信した場合に、前記情報端末に対し、前記一方の情報を送信するように構成されているサーバサポート演算要素を備える情報共有サーバと、
を備える情報共有システム。
【００２２】
当該構成の情報共有システムによれば、本発明の情報端末と同様の作用効果が奏される。
【００２３】
コンピュータを本発明の情報端末として機能させるための情報共有プログラム。
【００２４】
当該構成の情報共有プログラムによれば、本発明の情報端末と同様の作用効果が奏される。
【図面の簡単な説明】
【００２５】
【図１】本発明の情報共有システムの全体構成図。
【図２Ａ】本発明の情報共有処理の前半の処理を示すフローチャート。
【図２Ｂ】本発明の情報共有処理の後半の処理を示すフローチャート。
【図３】トップページの構成を示す図で、図３Ａは通常モード時のトップページの構成を示す図、図３Ｂはツーリングモード時のトップページの構成を示す図。
【図４Ａ】グループ一覧画面の構成を説明する図。
【図４Ｂ】グループ詳細画面の構成を説明する図。
【図４Ｃ】トーク画面の構成を説明する図。
【図５Ａ】計画一覧画面の構成を説明する図。
【図５Ｂ】計画詳細画面の構成を説明する図。
【図５Ｃ】計画作成画面の構成を説明する図。
【図６】モードに応じた表示処理を説明するフローチャート。
【図７】ナビゲーション画像におけるモードに応じた表示処理を説明する図。
【発明を実施するための形態】
【００２６】
（構成）
図１に示されている本発明の一実施形態としての情報共有システムは、ネットワークを介して相互通信可能な複数の情報端末１（本発明の「情報端末」に相当する。）およびサポートサーバ２（本発明の「外部機器」及び「情報共有サーバ」に相当する。）により構成されている。
【００２７】
ツーリング及び散歩等のイベントにおいて本発明の情報共有システムが用いられることによって、当該イベントに参加する参加者間の情報共有が推進されうる。
【００２８】
情報端末１は、タブレット型端末またはスマホなど、使用者による携帯が可能なようにサイズ、形状および重量が設計されているあらゆる情報端末により構成されている。情報端末１は、入力装置１１と、出力装置１２と、通信装置１３と、測位装置１４と、制御装置１５と、を備えている。
【００２９】
情報端末１は、使用者に携帯されてもよいし、使用者が搭乗する移動体に搭載されてもよい。
【００３０】
入力装置１１は、タッチパネルを構成する位置入力装置により構成されている。入力装置１１が付加的に音声入力装置（マイク）により構成されていてもよい。入力装置１１が撮像装置などの非接触方式で使用者の入力操作（発話内容またはジェスチャ）の態様を検知する検知装置により構成されていてもよい。出力装置１２は、タッチパネルを構成する液晶パネルまたは有機ＥＬのような画像表示装置により構成されている。出力装置１２が付加的に音声出力装置（スピーカ）により構成されていてもよい。通信装置１３は、サポートサーバ２と各種情報を送受信する機能を有する。測位装置１４はＧＰＳおよび必要に応じてジャイロセンサ等により構成され、情報端末１はこれによりその現在地点（経緯度）を測位する機能を有する。
【００３１】
制御装置１５は、コンピュータ（演算処理装置および記憶装置を備えている）により構成されている。制御装置１５には、ツーリングアプリ（本発明の「情報共有プログラム」に相当する。）がインストールされている。当該ツーリングアプリにより、制御装置１５が、後述する演算処理を実行するように構成されている第１演算処理要素１５１および第２演算処理要素１５２として機能する。
【００３２】
第１演算処理要素１５１および第２演算処理要素１５２は、ツーリングアプリにより規定される制御モードにしたがって、処理内容を変更するように構成される。ツーリングアプリは、たとえば、後述するプランに含まれる開始予定時刻から終了予定時刻までであることを要件として、制御装置１５をツーリングモード（本発明の「第１モード」に相当する。）で動作させ、当該開始予定時刻から終了予定時刻までの時間帯以外であることを要件として、制御装置１５を通常モード（本発明の「第２モード」に相当する。）で動作させる。
【００３３】
サポートサーバ２は、サーバ通信装置２０に加えて、情報端末１の要求に応じて各種処理を行うサポート演算処理要素２１を備えている。サポートサーバ２は、サーバ通信装置２０により、情報端末１と各種情報を送受信する機能を有する。
【００３４】
本発明の構成要素が情報演算処理を実行するように構成されているとは、当該制御装置の構成要素である演算処理装置が記憶装置（メモリ）からプログラムおよび必要な情報を読み取り、当該プログラムにしたがって当該情報演算処理を実行するように設計またはプログラムされていることを意味する。
【００３５】
サポートサーバ２は相互通信可能な複数のサーバにより構成されていてもよい。サポートサーバ２の一部または全部が、車両に搭載されている機器（電子制御ユニットまたはコンピュータなど）により構成されてもよい。
【００３６】
なお、以下では、説明対象の情報端末１の使用者（所持者）を「ユーザ」と呼び、ツーリングアプリで形成されるグループの構成員を「グループメンバ」と呼び、一のイベントの参加者を「参加メンバ」と呼ぶ。参加メンバが本発明の「メンバ」に相当し、参加メンバにより形成される集団が、本発明の「集団」に相当する。
【００３７】
また、後述する各画像の表示処理において、第１演算処理要素１５１は、情報端末１の記憶装置（不図示）に記憶されている所定の設定情報とサポートサーバ２から認識した最新情報とを含む各画像を表示するように構成されている。
【００３８】
また、第２演算処理要素１５２は、定期的にサポートサーバ２と通信し、所定の情報を認識し、情報端末１の記憶装置（不図示）に記憶するように構成されている。第２演算処理要素１５２は、制御モードがツーリングモードである場合、制御モードが通常モードである場合よりも多くの情報（たとえば、後述するプランの変更の有無に関する情報）を定期的に認識する。
【００３９】
（ツーリング時情報共有支援画像表示機能）
次に、図２〜図５を参照して、情報端末１の第１演算処理要素１５１が実行するツーリング時情報共有支援画像表示処理について説明する。なお、図２は、画面表示処理の全体の流れを示すにとどまり、サポートサーバ２との通信処理等、詳細な処理については、図示を省略している。
【００４０】
第１演算処理要素１５１は、ツーリングアプリが起動されると、図３Ａ又は図３Ｂに示されるツーリングアプリのトップ画像Ｐ１を出力装置１２に表示させる（図２Ａ／ＳＴＥＰ００２）。
【００４１】
トップ画像Ｐ１は、ユーザ名表示Ｐ１１と、走行距離を示す走行距離表示Ｐ１２と、所定の機能を実行するためのボタンＰ１３とを含んでいる。また、制御モードがツーリングモードである場合には、図３Ｂに示されるように、トップ画像Ｐ１は、ツーリングモードであることを示すモード表示Ｐ１４をさらに含む。
【００４２】
本実施形態では、ボタンＰ１３として、ナビゲーションを行うナビゲーション画像Ｐ８（図７参照）を出力装置１２に表示させるのナビボタンＰ１３ａ、燃費（電費）履歴を表示するための燃費等履歴ボタンＰ１３ｂ、天気情報（降雨及び降雪の地域情報）を表示するための天気情報ボタンＰ１３ｃ、最寄りの駐車場を検索するための駐車場検索ボタンＰ１３ｄ、ユーザが使用している移動体の販売店を検索するための販売店検索ボタンＰ１３ｅ、ツーリングアプリ使用者による交流を行うための交流ボタンＰ１３ｆ、最寄りの燃料共有（電力供給）施設を検索するための給油ボタンＰ１３ｇ、ツーリング時情報共有支援画像Ｐ２〜Ｐ７（図４及び図５参照）を表示するためのツーリングボタンＰ１３ｈ、他のツーリングアプリの使用者との１対１のコミュニケーションを行うための１to１ボタンＰ１３ｉが採用されている。
【００４３】
第１演算処理要素１５１は、入力装置１１を介して検知した入力態様が、ツーリングボタンＰ１３ｈの押下等、ツーリング支援画面の表示を選択する態様であるか否かを判定する（図２Ａ／ＳＴＥＰ００４）。
【００４４】
当該判定結果が否定的である場合（図２Ａ／ＳＴＥＰ００４‥ＮＯ）、第１演算処理要素１５１は、トップ画像Ｐ１を出力装置１２に表示させ続ける（図２Ａ／ＳＴＥＰ００２）、又は他のボタンの押下に応じた処理を行う（図示略）等、入力態様に応じた処理を行う。
【００４５】
当該判定結果が肯定的である場合（図２Ａ／ＳＴＥＰ００４‥ＹＥＳ）、第１演算処理要素１５１は、サポートサーバ２との通信を介して、ユーザのプロフィールが設定されているか否か（サポートサーバ２にユーザのプロフィール情報が保存されているか否か）を判定する（図２Ａ／ＳＴＥＰ００６）。
【００４６】
当該判定結果が否定的である場合（図２Ａ／ＳＴＥＰ００６‥ＮＯ）、第１演算処理要素１５１は、ユーザのプロフィール情報を当該ユーザに入力させるための画面を表示し（図２Ａ／ＳＴＥＰ００８）、当該画面において入力された情報をサポートサーバに送信した上で、図２Ａ／ＳＴＥＰ０１２に進む。
【００４７】
当該判定結果が肯定的である場合（図２Ａ／ＳＴＥＰ００６‥ＹＥＳ）、第１演算処理要素１５１は、制御モードがツーリングモード中であるか否かを判定する（図２Ａ／ＳＴＥＰ０１０）。
【００４８】
当該判定結果が肯定的である場合（図２Ａ／ＳＴＥＰ０１０‥ＹＥＳ）、第１演算処理要素１５１は、図２Ｂ／ＳＴＥＰ０２４に進む。
【００４９】
当該判定結果が否定的である場合（図２Ａ／ＳＴＥＰ０１０‥ＮＯ）、第１演算処理要素１５１は、図２Ａ／ＳＴＥＰ０１２に進む。
【００５０】
図２Ａ／ＳＴＥＰ０１２において、第１演算処理要素１５１は、図４Ａに示されるグループ一覧画像Ｐ２を出力装置１２に表示させる。グループ一覧画像Ｐ２は、サポートサーバ２から取得した又は制御装置１５に記憶されたユーザが所属するグループの一覧表示Ｐ２１と、グループを追加するためのリンク画像Ｐ２２とを含む。
【００５１】
グループの一覧表示Ｐ２１は、ユーザが所属するグループのそれぞれを示す画像Ｐ２１ａ〜Ｐ２１ｃを含む。
【００５２】
第１演算処理要素１５１は、入力装置１１を介して検知したユーザの入力態様がどのような入力態様であるか判定する（図２Ａ／ＳＴＥＰ０１４）。
【００５３】
入力装置１１を介して検知したユーザの入力態様が、リンク画像Ｐ２２の押下等、グループ追加を選択する態様である場合（図２Ａ／ＳＴＥＰ０１４‥「グループ追加を選択」）、第１演算処理要素１５１は、グループを追加するための情報を入力させるグループ追加画像を出力装置１２に表示させ（図２Ａ／ＳＴＥＰ０１６）、ユーザによって入力された情報をサポートサーバ２に送信した上で、図２Ａ／ＳＴＥＰ０１２に進む。
【００５４】
第１演算処理要素１５１は、グループ一覧画像Ｐ２を出力装置１２に表示させている状態で、入力装置１１を介して検知したユーザの入力態様が画像Ｐ２１ａ〜２１ｃのいずれかの押下等、既存のグループ表示を選択する態様である場合（図２Ａ／ＳＴＥＰ０１４‥「既存のグループ表示を選択」）、図４Ｂに示されるグループ詳細画像Ｐ３を出力装置１２に表示させる（図２Ｂ／ＳＴＥＰ０１８）。
【００５５】
グループ詳細画像Ｐ３は、グループ編集画像へリンクされているグループ編集ボタンＰ３１と、グループにおける最新のプラン情報の概要の表示である最新のプラン情報表示Ｐ３２と、最新のプラン情報を含めたプラン一覧画像Ｐ５（図５Ａ参照）を表示するためのリンク画像Ｐ３３と、グループメンバ情報の一覧を表示するためのグループメンバ一覧情報表示Ｐ３４と、グループメンバ追加画像へリンクされているリンク画像Ｐ３５と、グループのトーク画像Ｐ４（図４Ｃ参照）へリンクされているグループトークボタンＰ３６とを含む。
【００５６】
なお、プラン情報が本発明の「第１情報」に相当する。
【００５７】
最新のプラン情報表示Ｐ３２は、プラン名を表示するプラン名表示Ｐ３２ａと、プランの開始予定時刻及び終了予定時刻を表示する時刻表示Ｐ３２ｂと、最新プランのプラン詳細画像Ｐ６（本発明の「第１情報画像」に相当する。）（図５Ｂ参照）へリンクされているマークＰ３２ｃを含む。
【００５８】
第１演算処理要素１５１は、グループ詳細画像Ｐ３を出力装置１２に表示させている状態で、入力装置１１を介して検知したユーザの入力態様がどのような入力態様であるか判定する（図２Ｂ／ＳＴＥＰ０２０）。
【００５９】
入力装置１１を介して検知したユーザの入力態様が、グループ編集ボタンＰ３１又はリンク画像Ｐ３５の押下等、グループ編集又はユーザ追加を選択する態様である場合（図２Ｂ／ＳＴＥＰ０２０‥「グループ編集またはユーザ追加を選択」）、第１演算処理要素１５１は、グループ情報を編集するための情報を入力させるグループ編集画像またはグループメンバ追加画像を出力装置１２に表示させ（図２Ｂ／ＳＴＥＰ０２２）、当該画像においてユーザによって入力された情報をサポートサーバ２に送信した上で、図２Ｂ／ＳＴＥＰ０１８に進む。
【００６０】
入力装置１１を介して検知したユーザの入力態様が、リンク画像Ｐ３３の押下等、プラン一覧表示を選択する態様である場合（図２Ｂ／ＳＴＥＰ０２０‥「プラン一覧表示を選択」）、第１演算処理要素１５１は、図２Ｂ／ＳＴＥＰ０２８に進む。
【００６１】
入力装置１１を介して検知したユーザの入力態様が、マークＰ３２ｃの押下等、最新プランのプラン詳細画像の表示を選択する態様である場合（図２Ｂ／ＳＴＥＰ０２０‥「最新プランのプラン詳細画像を選択」）、第１演算処理要素１５１は、図２Ｂ／ＳＴＥＰ０３２に進む。
【００６２】
入力装置１１を介して検知したユーザの入力態様が、グループトークボタンＰ３６の押下等、グループトーク表示を選択する態様である場合（図２Ｂ／ＳＴＥＰ０２０‥「グループトーク表示を選択」）、第１演算処理要素１５１は、図２Ｂ／ＳＴＥＰ０２４に進む。
【００６３】
図２Ｂ／ＳＴＥＰ０２４では、第１演算処理要素１５１は、サポートサーバ２と通信することにより認識した情報に基づいて、図４Ｃに示されるトーク画像Ｐ４（本発明の「第２情報画像」に相当する。）を出力装置１２に表示させる。
【００６４】
各トーク参加者のそれぞれの情報端末１の第１演算処理要素１５１は、各サポートサーバ２と通信することにより当該各トーク参加者において共通の情報を認識する。たとえば、図２Ｂ／ＳＴＥＰ０２０でグループトークが選択されることにより当該トーク画像が表示されている場合、トーク参加者の各情報端末１の第１演算処理要素１５１は、サポートサーバ２と通信することにより当該グループトークに関する情報を認識する。
【００６５】
トーク画像Ｐ４は、トーク情報を更新するトーク更新ボタンＰ４１と、トーク参加者の発言内容（本発明の「第２情報」に相当する。）を表示する発言表示Ｐ４２と、発言ボタン群Ｐ４３とを備える。
【００６６】
これらのうち、少なくとも発言表示Ｐ４２は、サポートサーバ２と通信することにより認識された情報に基づいて作成される。
【００６７】
発言表示Ｐ４２は、発言者の名前またはニックネームを表示する名称表示Ｐ４２ａと、発言がなされた時刻を表示する発言時刻表示Ｐ４２ｂと、発言者を示す写真又はアイコンＰ４２ｃと、その発言内容の表示Ｐ４２ｄと、を含む。
【００６８】
各発言は、時系列で表示されることが好ましい。発言者ごとに発言内容の表示Ｐ４２ｄの背景色が変更されてもよい。この場合、ユーザの発言については、名称表示Ｐ４２ａが省略されてもよい。新しい発言は、出力装置１２の画面の下方向、又は上方向等、一定の方向に表示されることが好ましい。
【００６９】
発言内容には、各トーク参加者により発信された内容として、たとえば、発言ボタン群Ｐ４３を介して発言されたメッセージＰ４２ｄ１、トーク参加者により入力された写真Ｐ４２ｄ２若しくは発言時の情報端末１の位置情報（地図情報）Ｐ４２ｄ３、又は後述するプラン詳細画像へのリンクＰ４２ｄ４が含まれる。
【００７０】
発言内容の表示Ｐ４２ｄがユーザの発言に当該発言を編集するための編集ボタンを含むことにより、各メンバが自己の発言の内容を編集することが出来るようにしてもよいが、少なくとも、他のメンバによる発言の内容を編集することはできない（他のメンバの発言欄には編集ボタンが表示されない）ように構成される。
【００７１】
発言ボタン群Ｐ４３は、挨拶等の定型文、定型画像を発信するための定型文ボタンＰ４３ａと、現在の情報端末１の位置情報を発信するための位置情報ボタンＰ４３ｂと、写真を発信するための写真ボタンＰ４３ｃと、定型文以外の文を作成し、発信するためのキーボードボタンＰ４３ｄとを含む。
【００７２】
第１演算処理要素１５１は、トーク画像Ｐ４を出力装置１２に表示させている状態で、入力装置１１を介して検知したユーザの入力態様がどのような入力態様であるか判定する（図２Ｂ／ＳＴＥＰ０２６）。
【００７３】
第１演算処理要素１５１は、入力装置１１を介して検知したユーザの入力態様が、トーク更新ボタンＰ４１の押下、ボタンＰ４３ａ〜４３ｄの押下等、トーク継続を選択する態様である場合（図２Ｂ／ＳＴＥＰ０２６‥「トーク継続を選択」）、サポートサーバ２に更新要求又は発言内容を送信する等、ユーザの入力態様に応じた処理を行ったうえで、図２Ｂ／ＳＴＥＰ０２４に進む。
【００７４】
なお、第１演算処理要素１５１は、発言内容に加えて、測位装置１４を介して認識した情報端末１の位置情報を併せてサポートサーバ２へ送信するように構成されている。
【００７５】
第１演算処理要素１５１は、ユーザの入力がない場合であっても、所定の設定に基づいて、定期的に認識した測位装置１４の出力からユーザの位置情報、撮像装置によって撮影された画像又は天候情報等の情報端末１の周辺環境の情報をサポートサーバ２にユーザの発言内容として送信してもよい。
【００７６】
第１演算処理要素１５１は、入力装置１１を介して検知したユーザの入力態様が、プラン詳細画像へのリンクＰ４２ｄ４の押下、所定のフリック操作、又は所定の音声入力等、プラン詳細画像表示を選択する態様である場合（図２Ｂ／ＳＴＥＰ０２６‥「プラン詳細画像表示を選択」）、図２Ｂ／ＳＴＥＰ０３２に進む。
【００７７】
図２Ｂ／ＳＴＥＰ０２８において、第１演算処理要素１５１は、サポートサーバ２から通信を介して認識された情報に基づいて、図５Ａに示されるプラン一覧画像Ｐ５を出力装置１２に表示させる。
【００７８】
プラン一覧画像Ｐ５は、各プラン情報の概要を一覧表示するプラン一覧表示Ｐ５１と、プラン作成画像Ｐ７（図５Ｃ参照）へリンクされているプラン追加ボタンＰ５２とを含む。
【００７９】
プラン一覧表示Ｐ５１は、夫々のプランごとに、当該プランのプラン名を表示するプラン名表示Ｐ５１ａ、当該プランの代表写真を表示するプラン代表写真Ｐ５１ｂ、プランの開始予定時刻及び終了予定時刻を表示する時刻表示Ｐ５１ｃを含む。
【００８０】
第１演算処理要素１５１は、プラン一覧画像Ｐ５を出力装置１２に表示させている状態で、入力装置１１を介して検知したユーザの入力態様がどのような入力態様であるか判定する（図２Ｂ／ＳＴＥＰ０３０）。
【００８１】
第１演算処理要素１５１は、入力装置１１を介して検知したユーザの入力態様が、プラン名表示Ｐ５１ａの押下等、既存のプランの表示を選択する態様である場合（図２Ｂ／ＳＴＥＰ０３０‥「既存のプランの表示を選択」）、図２Ｂ／ＳＴＥＰ０３２に進む。
【００８２】
第１演算処理要素１５１は、入力装置１１を介して検知したユーザの入力態様が、プラン追加ボタンＰ５２の押下等、新たなプランの作成を選択する態様である場合（図２Ｂ／ＳＴＥＰ０３０‥「新たなプランの作成を選択」）、図２Ｂ／ＳＴＥＰ０３６に進む。
【００８３】
図２Ｂ／ＳＴＥＰ０３２において、第１演算処理要素１５１は、サポートサーバ２から通信を介して認識された情報に基づき、図５Ｂに示されるプラン詳細画像Ｐ６を出力装置１２に表示させる。
【００８４】
プラン詳細画像Ｐ６は、プラン名を表示するプラン名表示Ｐ６１、プラン情報を編集するための編集ボタンＰ６２、プランの開始予定時刻及び終了予定時刻を表示する時刻表示Ｐ６３、集合地点・目的地点を表示する地点表示Ｐ６４、代表者の名前（ニックネーム）を表示する代表者名表示Ｐ６５、代表者等によるプランのコメント（画像又は位置情報含む。）を表示するプランコメント表示Ｐ６６、プランへの参加メンバの名前またはニックネームを表示する参加メンバ名表示Ｐ６７、プランへの参加・不参加を表明するための参加・不参加ボタンＰ６８、トーク画像Ｐ４（図４Ｃ参照）へリンクされているプラントークボタンＰ６９とを含む。
【００８５】
第１演算処理要素１５１は、ユーザまたは他のメンバにより後述するＳＴＥＰ０３６〜ＳＴＥＰ０４０の処理により入力され、かつ、サポートサーバ２に記憶されていた情報を、通信を介して認識することにより、少なくとも、プラン名表示Ｐ６１、時刻表示Ｐ６３、地点表示Ｐ６４、代表者名表示Ｐ６５、プランコメント表示Ｐ６６、参加メンバ名表示Ｐ６７をプラン詳細画像Ｐ６に含める。
【００８６】
第１演算処理要素１５１は、サポートサーバ２から通信を介して認識した情報に基づき、ユーザがプラン詳細の編集権限を持っていることを要件として、編集ボタンＰ６２を表示する。ユーザのプラン詳細の編集権限は、たとえば、グループ作成・編集時、又はプラン作成・編集時等の適当なタイミングで設定されうる。また、プラン詳細の設定権限が参加者すべてに与えられてもよい。
【００８７】
第１演算処理要素１５１は、サポートサーバ２から通信を介して認識した情報に基づき、メンバが参加・不参加を過去に表明していない（参加・不参加ボタンＰ６８を押下したことがない）ことを要件として、有効な参加・不参加ボタンＰ６８を表示する。第１演算処理要素１５１は、メンバが参加・不参加を過去に表明している場合には、参加・不参加ボタンＰ６８を無効化又は非表示にしてもよいし、参加・不参加ボタンＰ６８に代えて参加不参加の表明を取り消すキャンセルボタンを表示してもよい。また、第１演算処理要素１５１は、ユーザがプランの代表者である場合には、参加・不参加ボタンＰ６８を無効化又は非表示にしてもよい。
【００８８】
第１演算処理要素１５１は、地点表示Ｐ６４に、集合地点から目的地点までのルートを地図上に表示するためのリンク、又は現在地から集合地点まで若しくは集合地点から目的地点まで等プランの実行に必要なルートのナビゲーション画面へのリンクを含めてもよい。
【００８９】
第１演算処理要素１５１は、プラン詳細画像Ｐ６を出力装置１２に表示させている状態で、入力装置１１を介して検知したユーザの入力態様がどのような入力態様であるか判定する（図２Ｂ／ＳＴＥＰ０３４）。
【００９０】
第１演算処理要素１５１は、入力装置１１を介して検知したユーザの入力態様が、編集ボタンＰ６２の押下等、プランの編集を選択する態様である場合（図２Ｂ／ＳＴＥＰ０３４‥「プラン編集を選択」）、図２Ｂ／ＳＴＥＰ０３６に進む。
第１演算処理要素１５１は、入力装置１１を介して検知したユーザの入力態様が、参加・不参加ボタンＰ６８の押下等、プランへの参加又は不参加の表明を行う態様である場合（図２Ｂ／ＳＴＥＰ０３４‥「参加・不参加を表明」）、サポートサーバ２にユーザの参加又は不参加情報を送信した上で、図２Ｂ／ＳＴＥＰ０３２に進む。
【００９１】
これに代えて、第１演算処理要素１５１は、入力装置１１を介して検知したユーザの入力態様が、参加・不参加ボタンＰ６８の押下等、参加又は不参加の表明を行う態様である場合（図２Ｂ／ＳＴＥＰ０３４‥「参加・不参加を表明」）、ユーザにコメント入力を求め、サポートサーバ２にユーザのコメント及び参加又は不参加情報を送信した上で、図２Ｂ／ＳＴＥＰ０３４に進んでもよい。サポートサーバ２に送信されたユーザの参加・不参加情報及びコメントは、ユーザのグループトークにおける発言として、各グループメンバが所有する情報端末１に配信されてもよい。
【００９２】
第１演算処理要素１５１は、入力装置１１を介して検知したユーザの入力態様が、プラントークボタンＰ６９の押下等、プランについてのトーク画像を表示させる態様である場合（図２Ｂ／ＳＴＥＰ０３４‥「プラントーク表示を選択」）、図２Ｂ／ＳＴＥＰ０２４に進む。この場合、第１演算処理要素１５１は、ユーザにプラン参加者間でのトークにするか、グループでのトークにするかを選択させるための画像を出力装置１２に表示させてもよい。
【００９３】
また、第１演算処理要素１５１は、現在の日時とプランの実行日とを比較することにより、現在がプランの実行日である場合にはプラン参加者間のトーク画像を表示する旨をユーザに知らせる文言とともにプラン参加者間のトーク画像を出力装置１２に表示させ、現在がプランの実行日でない場合には、グループトークの画像を出力装置１２に表示させてもよい。
【００９４】
図２Ｂ／ＳＴＥＰ０３６において、第１演算処理要素１５１は、図５Ｃに示されるプラン作成画像Ｐ７を出力装置１２に表示させる。
【００９５】
プラン作成画像Ｐ７は、開始予定時刻及び終了予定時刻を指定するための時刻指定ボックスＰ７１、計画名称を指定するための計画名称指定ボックスＰ７２、集合地点を指定するための集合地点指定ボックスＰ７３、目的地を指定するための目的地点指定ボックスＰ７４、代表者のコメントを指定するためのコメント指定ボックスＰ７５、写真のアップロードリンクＰ７６、参加者呼びかけ表示Ｐ７７、及び入力された情報をサポートサーバ２へ送信するためのプラン作成ボタンＰ７８を含む。
【００９６】
集合地点指定ボックスＰ７３、目的地点指定ボックスＰ７４、写真のアップロードリンクＰ７６、及び参加者呼びかけ表示Ｐ７７は省略されてもよい。集合地点指定ボックスＰ７３及び目的地点指定ボックスＰ７４の一方又は両方が省略された場合、後述するルート作成画像又は地点設定画像の地図上の地点を選択することにより、集合地点及び目的地点の一方又は両方が選択されてもよい。
【００９７】
参加者呼びかけ表示Ｐ７７は、呼びかける先の参加者又はグループを選択する参加者等選択表示Ｐ７７ａと、呼びかけ時のコメントを入力するための呼びかけコメント指定ボックスＰ７７ｂと、呼びかける先の参加者又はグループを追加する参加者等追加表示Ｐ７７ｃとを含む。
【００９８】
第１演算処理要素１５１は、入力装置１１を介して、プラン作成ボタンＰ７８が押下された等、プラン作成が行われたことを検知すると、入力された情報をサポートサーバ２へ送信するとともに、地図情報を含むルート作成画像を出力装置１２に表示させる（図２Ｂ／ＳＴＥＰ０３８）。
【００９９】
第１演算処理要素１５１は、ユーザによって指定された集合地点、及び目的地点並びに広い道路等の所定の探索条件に基づき、推奨ルートを探索して、探索結果を出力装置１２に表示させる。当該推奨ルートは、ユーザの入力によって変更可能に表示されてもよい。第１演算処理要素１５１は、複数の推奨ルートを出力装置１２に表示させてもよい。第１演算処理要素１５１は、広い道路等の探索条件をユーザに指定させるための画像を出力装置１２に表示させてもよい。
【０１００】
第１演算処理要素１５１は、第１演算処理要素１５１は、入力装置１１を介して、ルートを決定するためのルート決定ボタンが押下された等、ルートの決定が行われたことを検知すると、入力された情報をサポートサーバ２へ送信するとともに、ルート上の経由地点を設定するための地点設定画像を出力装置１２に表示させる（図２Ｂ／ＳＴＥＰ０４０）。
【０１０１】
第１演算処理要素１５１は、地図情報から読み出したルート上又はルート近傍の公園等の施設の名称を地図と共に表示してもよい。第１演算処理要素１５１は、サポートサーバ２から通信を介して認識したいくつかの推奨地点を予め目立つような形で地図と共に表示してもよい。
【０１０２】
第１演算処理要素１５１は、入力装置１１を介して地点を設定するためのボタンが押下された等の地点設定が行われたことを検知すると、入力された情報をサポートサーバ２へ送信し、図２Ｂ／ＳＴＥＰ０２８に進む。
【０１０３】
（モードに応じた適時認識情報の表示処理）
続いて、図６〜図７を参照して、モードに応じた適時認識情報の表示処理を説明する。この処理は所定時間ごとに実行される。
【０１０４】
第２演算処理要素１５２は、制御モードがツーリングモードであるか否かを判定する（図６／ＳＴＥＰ１０２）。
【０１０５】
当該判定結果が肯定的である場合（図６／ＳＴＥＰ１０２‥ＹＥＳ）、第２演算処理要素１５２は、サポートサーバ２とのプッシュ通信等の通信を行うことにより、新たな発言があるか否かを判定する（図６／ＳＴＥＰ１０４）。
【０１０６】
当該判定結果が肯定的である場合（図６／ＳＴＥＰ１０４‥ＹＥＳ）、第２演算処理要素１５２は、現在表示している画像における当該新たな発言の表示箇所を決定する（図６／ＳＴＥＰ１０６）。
【０１０７】
たとえば、第２演算処理要素１５２は、ナビゲーションを行っている状態で他の参加メンバからの発言があった場合、ナビゲーション画像Ｐ８における当該新たな発言の表示箇所として、当該新たな発言の発言者の位置に対応する箇所を当該発言の表示箇所として決定する。また、第２演算処理要素１５２は、既存の発言表示Ｐ８１がある場合、当該発言表示と重ならない箇所を、新たな発言表示Ｐ８２の表示箇所としてもよいし（図７参照）、当該発言を上書きする箇所を、新たな発言表示Ｐ８２の表示箇所としてもよい。
【０１０８】
第２演算処理要素１５２は、決定された表示箇所に従って、新たな発言表示Ｐ８２をナビゲーション画像Ｐ８に表示する（図６／ＳＴＥＰ１０８）。
【０１０９】
図６／ＳＴＥＰ１０４の判定結果が否定的である場合（図６／ＳＴＥＰ１０４‥ＮＯ）、又は図６／ＳＴＥＰ１０８の処理の後、第２演算処理要素１５２は、サポートサーバ２とのプッシュ通知等の通信により、プラン変更があるか否かを判定する（図６／ＳＴＥＰ１１０）。
【０１１０】
図６／ＳＴＥＰ１１０の判定結果が肯定的である場合（図６／ＳＴＥＰ１１０‥ＹＥＳ）、第２演算処理要素１５２は、プラン変更がある旨の表示Ｐ８３を出力装置１２に表示させる（図６／ＳＴＥＰ１１２）。
【０１１１】
例えば、第２演算処理要素１５２は、ナビゲーションを行っている状態でプラン変更があると判定した場合、ナビゲーション画像Ｐ８上の所定の箇所に、プラン変更があった旨の表示Ｐ８３を表示する。
【０１１２】
図６／ＳＴＥＰ１０２の判定結果が否定的である場合（図６／ＳＴＥＰ１０２‥ＮＯ）、第２演算処理要素１５２は、サポートサーバ２とのプッシュ通信等の通信を行うことにより、新たな発言があるか否かを判定する（図６／ＳＴＥＰ１１４）。
【０１１３】
当該判定結果が肯定的である場合（図６／ＳＴＥＰ１１４‥ＹＥＳ）、第２演算処理要素１５２は、当該新たな発言を出力装置１２の表示画面の所定の箇所に表示する（図６／ＳＴＥＰ１１６）。
【０１１４】
図６／ＳＴＥＰ１１０若しくは図６／ＳＴＥＰ１１４の判定結果が否定的である場合（図６／ＳＴＥＰ１１０‥ＮＯ若しくは図６／ＳＴＥＰ１１４‥ＮＯ）、又は図６／ＳＴＥＰ１１２若しくは図６／ＳＴＥＰ１１６の処理の後、第２演算処理要素１５２は、ナビゲーション中の発言表示処理を終了する。
【０１１５】
（本実施形態の作用効果）
本実施形態の情報端末１によれば、プラン情報（第１情報）を含むプラン詳細画像Ｐ６（第１情報画像）とトーク参加者の発言内容（第２情報）を含むトーク画像Ｐ４（第２情報画像）とのうち表示されていない画像が、所定の入力態様の検知を要件として表示される（図２Ｂ／ＳＴＥＰ０２４、図２Ｂ／ＳＴＥＰ０２６‥「プラン詳細画像表示を選択」及び図２Ｂ／ＳＴＥＰ０３２、又は図２Ｂ／ＳＴＥＰ０３２、図３／ＳＴＥＰ０３４‥「プラントーク表示を選択」及び図２Ｂ／ＳＴＥＰ０２４参照）。
【０１１６】
このため、ユーザは、状況に応じて適切な入力を行うことにより、集団の少なくとも一部のメンバにより内容変更可能な個人帰属性の低いプラン情報（第１情報）及び集団に所属するメンバから発信され、当該メンバ以外には内容が変更不可能な個人帰属性の高い発言内容（第２情報）を適切に認識することができる。
【０１１７】
この結果、同一の集団に所属するメンバの間において当該集団の情報が容易に共有される。
【０１１８】
また、当該構成の情報端末１によれば、制御モードに応じて適切に処理を実行することが出来る。
【０１１９】
また、当該構成の情報端末によれば、ツーリングモード（第１モード）である状態で、ナビゲーション中でも発言内容（第２情報）の表示Ｐ８１，Ｐ８２が出力装置１２（画像表示装置）に表示されるので（図６／ＳＴＥＰ１０４〜図６／ＳＴＥＰ１０８）、ユーザに適時に集団のメンバ由来の情報を認識させることが出来る。この結果、同一の集団に所属するメンバの間において集団の情報がより容易に共有される。
【０１２０】
当該構成の情報端末１によれば、ツーリングモード（第１モード）である状態で、ナビゲーション中でもプラン情報が変更された旨の表示Ｐ８３（第１情報変更通知）が出力装置１２（画像表示装置）に表示されるので（図６／ＳＴＥＰ１１０〜図６／ＳＴＥＰ１１２）、ユーザに適時にプラン情報（第１情報）の変更を認識させることが出来る。この結果、同一の集団に所属するメンバの間において集団の情報がより適切に共有される。
【０１２１】
当該構成の情報端末によれば、制御モードがツーリングモード（第１モード）である状態で、ユーザが関心を向ける蓋然性が高いトーク画像Ｐ４（第２情報画像）を表示させるためのリンクがトップ画像に表示される（図２Ａ／ＳＴＥＰ０１０及び図２Ｂ／ＳＴＥＰ０２４）。この結果、ユーザの利便性が向上する。
【０１２２】
（変形態様）
本実施形態では、「第１情報」としてツーリング等のイベントにおけるプラン情報及び「第２情報」としてトーク参加者の発言内容が用いられたが、これに代えて、たとえばあるグループにおけるルールが第１情報として用いられ及び当該ルールに対する意見内容が第２情報として用いられてもよい。また、これらに代えて、学術又は地域事情等の事実が第１情報として用いられ、これらに対する意見内容が第２情報として用いられてもよい。
【符号の説明】
【０１２３】
１‥情報端末、１１‥入力装置、１２‥出力装置、１５‥制御装置、２‥サポートサーバ、２０‥サーバ通信装置、２１‥サポート演算処理要素、Ｐ４‥トーク画像（第２情報画像）、Ｐ６‥プラン詳細画像。
【図１】
2016163138.tif 000003
【図２Ａ】
2016163138.tif 000004
【図２Ｂ】
2016163138.tif 000005
【図３】
2016163138.tif 000006
【図４Ａ】
2016163138.tif 000007
【図４Ｂ】
2016163138.tif 000008
【図４Ｃ】
2016163138.tif 000009
【図５Ａ】
2016163138.tif 000010
【図５Ｂ】
2016163138.tif 000011
【図５Ｃ】
2016163138.tif 000012
【図６】
2016163138.tif 000013
【図７】
2016163138.tif 000014